(57)【特許請求の範囲】
【請求項１】
一対の挟持部材を開閉自在に支点連結して挟持具を形成し、該挟持具の作用点とされる相対向する一対の鍔片を相互近接させ固定して、上記鍔片を波形屋根の頂部より突出したボルト体に、該ボルト体に螺着されたナットの上方で挟着させる構造とした屋根上取付具であって、
上記挟持部材の下端部に、上記波形屋根の頂部の上面に当接する突片が、上記脚片と上記鍔片との間の折曲部を下方に突出させることで形成されていることを特徴とする屋根上取付具。
【請求項２】
一対の挟持部材を開閉自在に支点連結して挟持具を形成し、該挟持具の作用点とされる相対向する一対の鍔片を相互近接させ固定して、上記鍔片を波形屋根の頂部より突出したボルト体に、該ボルト体に螺着されたナットの上方で挟着させる構造とした屋根上取付具であって、
上記挟持部材の下端部に、上記波形屋根の頂部の上面に当接する突片を備えた構成とされ、
上記鍔片および上記突片は、上記脚片を切込み、切断加工して形成されていることを特徴とする屋根上取付具。
【請求項３】
請求項１または２において、
上記挟持部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる鍔片とより構成されており、
上記挟持具は、上記２つの挟持部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟持具締付ボルトを通し、締付ナットを螺合することで上記鍔片の先端同士を近接させる構造としている屋根上取付具。
【請求項４】
請求項１〜３のいずれか１項において、
上記ナットと上記波形屋根の頂部との間に座金が介装されている屋根上取付具。
【請求項５】
請求項１〜４のいずれか１項において、
上記波形屋根の頂部は、隣接する波形屋根が重合して形成されてなり、
上記ボルト体およびナットは、上記波形屋根の重合部を貫通して固定する固定部材として設けられている屋根上取付具。
【請求項６】
請求項１〜５のいずれかに記載の屋根上取付具を折板屋根に取り付けてなる、屋根上取付具の取付構造。
【発明の詳細な説明】
【技術分野】
【０００１】
本発明は、波形屋根の頂部より突出したボルト体に鍔片を挟着させて屋根上に取り付けるようにした屋根上取付具およびその取付構造に関する。
【背景技術】
【０００２】
一般に、折板屋根（角波形屋根）、丸波形屋根等の波形屋根の上面に、例えばテレビアンテナや空調機器、屋上緑化トレイ、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
具体的には、特許文献１に記載の屋根上取付具は、下方に向けて拡開した、２つの挟持部材よりなる挟持具の交差状に連結した両上板に、挟持具締付ボルトを貫通させたうえで締付ナットを螺合し、脚片の下端から相対向した両鍔片を鋏のごとく近接させて、波形屋根の頂部における屋根材のハゼ接合により形成されたハゼ部に挟着させて取り付ける構造となっている。
【０００４】
同文献に記載された屋根上取付具は、２つの挟持部材よりなる挟持具を、開閉自在の緩んだ状態から、挟持具締付ボルト、締付ナットによる螺合により上板を締め付けて固定する構造となっているため、操作を容易に行うことができ、さらに締付操作をするための締付ナットを上板上面側に配しているため、螺合する際の作業性はきわめてよい。また、挟持具締付ボルトを上板のボルト貫通孔に下方より貫通させる際の作業性をよくするために、それぞれの鍔片の先端中央に半円状の切欠き凹部が形成されている。
【先行技術文献】
【特許文献】
【０００５】
【特許文献１】特許第３３６８３７４号
【発明の概要】
【発明が解決しようとする課題】
【０００６】
しかしながら、上記特許文献１に記載の屋根上取付具では、上板の切り溝同士で噛み合わせ可能にした２つの挟持部材を組み合わせて開閉自在な挟持具を構成しているため、締め付けたときに、２つの挟持部材の鍔片が水平方向にわずかにずれるおそれがある。特に、上板の切り溝やボルト貫通孔には、作業時の開閉操作をスムーズにさせるための遊びが含まれているので、その遊びによって大きなずれが発生する可能性もある。
【０００７】
このように、上記文献の屋根上取付具はずれが発生するおそれがあるため、水平方向に多少のずれが起こっても問題のない、ハゼ部への装着に限定したものと想定でき、波形屋根の重ね式接合に使用されるボルト体への装着についてはほとんど想定していないものと考えられる。このことは、上記文献において、鍔片の先端中央に施工性をよくするための切欠き凹部を設けたことからも想定できる。
【０００８】
また、屋根上取付具を重ね式接合構造の波形屋根に対応させた場合には、波形屋根の上面に、上記ボルト体に螺着されるナットが配されているから、鍔片でボルト体を挟み込む位置は、ボルト体の軸部の、ナットよりも上方に突き出た箇所となり、そのため鍔片をボルト体に挟着させたときには、両脚片の下端部と鍔片の全体とが屋根から浮いた状態となる。そのため、屋根上取付具に対して大きな外力が加われば、屋根上取付具がぐらつくおそれがある。
【０００９】
以上のように、２つの挟持部材で構成した挟持具で構成された屋根上取付具を重ね式接合構造の波形屋根に取り付ける場合には、上記挟持具の特有の構造により発生する鍔片間のずれ、および鍔片が屋根から浮いた状態となることにより屋根上取付具自体が不安定になることの２つの問題を解消する必要があるが、この問題を解消した屋根上取付具はいまだ提案されていない。
【００１０】
本発明は、このような事情を考慮して提案されたもので、その目的は、重ね式接合構造の波形屋根に対して、回転したり、ぐらついたりすることなく強固に取り付けられ、かつ、鍔片間にずれの発生しにくい屋根上取付具およびその取付構造を提供することにある。
【課題を解決するための手段】
【００１１】
上記目的を達成するために、請求項１に係る屋根上取付具は、一対の挟持部材を開閉自在に支点連結して挟持具を構成し、該挟持具の作用点とされる相対向する一対の鍔片を相互近接させ固定して、上記鍔片を波形屋根の頂部より突出したボルト体に、該ボルト体に螺着されたナットの上方で挟着させる構造とした屋根上取付具であって、挟持部材の下端部に、波形屋根の頂部の上面に当接する突片が、脚片と鍔片との間の折曲部を下方に突出させることで形成されていることを特徴とする。
【００１２】
請求項２に係る屋根上取付具は、一対の挟持部材を開閉自在に支点連結して挟持具を形成し、該挟持具の作用点とされる相対向する一対の鍔片を相互近接させ固定して、鍔片を波形屋根の頂部より突出したボルト体に、該ボルト体に螺着されたナットの上方で挟着させる構造とした屋根上取付具であって、挟持部材の下端部に、波形屋根の頂部の上面に当接する突片を備えた構成とされ、鍔片および突片は、脚片を切込み、切断加工して形成されていることを特徴とする。
【００１３】
請求項３に係る屋根上取付具は、挟持部材は、中央にボルト貫通孔が開設され、該ボルト貫通孔から一方の側端縁に至る切り溝が形成された上板と、上板の基端より下方に延びる脚片と、脚片の下端から上板と略同一の方向に延びる鍔片とより構成されており、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としている。
【００１４】
請求項４に係る屋根上取付具は、ナットと上記波形屋根の頂部との間に座金が介装されている。
【００１５】
請求項５に係る屋根上取付具は、波形屋根の頂部は、隣接する波形屋根が重合して形成されてなり、ボルト体およびナットは、波形屋根の重合部を貫通して固定する固定部材として設けられている。
【００１６】
（削除）
【００１７】
請求項６に係る屋根上取付具の取付構造は、請求項１〜５のいずれかに記載の屋根上取付具を波形屋根に取り付けてなるものである。
【発明の効果】
【００１８】
本発明によれば、次のような効果がある。
【００１９】
すなわち、請求項１、２に係る屋根上取付具および請求項６に係る屋根上取付具の取付構造によれば、挟持部材の下端部に、重ね式接合構造の波形屋根の頂部の上面に当接する突片が形成されているので、その突片の波形屋根の頂部への当接によって、重ね式接合に使用されるボルト体への挟着のみによらず波形屋根に固定され得、屋根上取付具のぐらつきを防止できる。また、挟持部材の下端部が波形屋根の頂部に当たっているので、屋根上取付具の水平方向の回転も発生しにくい。特に、突片を脚片や鍔片の一部で構成すれば、他の部材を付加する必要がなく、波形屋根への取り付けをスムーズに行える。
【００２０】
また、屋根上取付具が２つの挟持部材よりなる挟持具で構成されているため、ボルト体を挟持したときに鍔片間でずれが発生するおそれがあるが、屋根上取付具が波形屋根の頂部の上面にしっかりと載置される構成であるため、そのようなずれは発生しにくい。かりに、ずれが発生したとしても、屋根上取付具は波形屋根の上で安定しているので、上記ずれを原因としたぐらつきが発生するおそれはない。
【００２１】
また、請求項１に係る屋根上取付具によれば、脚片と鍔片との間の折曲部を下方に突出させて突片が形成されているため、屋根上取付具を折り曲げ加工で簡易に製造できる。また、脚片の下端部で折り曲げて鍔片を形成して、その下端部で脚片と鍔片とが重なるようにして突片を構成すれば、屋根上取付具自体を頑丈な構造とすることができる。
【００２２】
また、請求項２に係る屋根上取付具によれば、脚片を切込み、切断加工して鍔片および突片を形成しているので、波板屋根に対して安定した屋根上取付具を簡易に製造できる。また、切込み、切断寸法を調節することで、鍔片および突片を、取付対象である折板屋根の形状等に合った種々の形状、寸法に形成することができる。
【００２３】
請求項３に係る屋根上取付具では、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としているので、２枚重なった上板を挟持具締付ボルトと締付ナットで上下方向に締め付けるだけで容易に鍔片を近接させてボルト体に挟着させることができる。特に、締付ナットを上板の上面側に配するようにすれば、さらに締付操作を簡単に行える。
【００２４】
さらに、挟持具が２つの挟持部材で構成され、それらが開閉自在に支点連結されているので、挟持具締付ボルトと締付ナットとが緩んだ状態にあるときは、２つの挟持部材も緩んだ状態にある。そのため、鍔片を閉状態に固定するためには緩んだ締付ナットを締め付けて上板同士を固定するだけでよく、そのような締め付けは手操作でもできるため施工性がよい。
【００２５】
請求項４に係る屋根上取付具では、ナットと波形屋根の頂部との間に座金が介装されているので、座金に防水パッキン等を付加することでボルト体の貫通孔からの防水が図れる。また、座金を設けることで鍔片の挟着位置が高くなるが、波形屋根の頂部に当接する突片を挟持部材の下端部に備えているので、屋根上取付具を、座金をかわしてボルト体に挟着させることができる。
【００２６】
請求項５に係る屋根上取付具では、波形屋根の重合部を貫通して固定するためのボルト体に挟着する構成としている。つまり、重合部連結用のボルト体を屋根上取付具の取付用として兼用して利用しているため、屋根上取付具を波形屋根に取り付けるためのボルト体を新たに使用する必要がなく、屋根上取付具を取り付けるための部品の点数を少なくすることができる。
【図面の簡単な説明】
【００２７】
【図１】本発明に係る屋根上取付具の第１の実施形態を示す説明図であり、（ａ）は屋根上取付具を波形屋根へ取り付けた状態を示した正面図、（ｂ）は同側面図である。
【図２】（ａ）は図１に示した屋根上取付具を波形屋根へ取り付ける前の状態を示した分解斜視図、（ｂ）は（ａ）のＸ部分の拡大平面図である。
【図３】同屋根上取付具の分解斜視図である。
【図４】（ａ）、（ｂ）は、同屋根上取付具の施工状態を示す正面図である。
【図５】本発明に係る屋根上取付具の第２の実施形態を示す説明図であり、（ａ）は屋根上取付具を波形屋根へ取り付けた状態を示した正面図、（ｂ）は同側面図である。
【図６】図５に示した屋根上取付具を波形屋根へ取り付ける前の状態を示した分解斜視図である。
【図７】同屋根上取付具の分解斜視図である。
【図８】同実施形態の屋根上取付具の他２例を示す図（（ａ）は第１例の斜視図、（ｂ）は第２例の側面図）である。
【図９】（ａ）、（ｂ）は、本発明に係る屋根上取付具のさらに他の実施形態を示す概略説明図である。
【発明を実施するための形態】
【００２８】
以下に、本発明の実施の形態について、添付図面を参照しながら説明する。
【００２９】
なお以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００３０】
図１〜図４は、本発明に係る屋根上取付具の第１の実施形態を示す説明図である。図１（ａ）は屋根上取付具を折板屋根へ取り付けた状態を示した正面図、図１（ｂ）は同側面図である。図２（ａ）は図１に示した屋根上取付具を折板屋根へ取り付ける前の状態を示した分解斜視図、図２（ｂ）は（ａ）のＸ部分の拡大平面図である。図３は、同屋根上取付具の分解斜視図である。図４（ａ）、（ｂ）は同屋根上取付具の施工状態を示す正面図である。
【００３１】
本実施形態に使用される折板屋根３０は、山部３１と谷部３２とが交互に連続する屋根であって、複数の折板屋根材を側端縁の山部３１の頂部３１ａで重合し、その重合部３０ａで、ボルト体ＢとナットＣとの螺着によって連結した重ね式接合構造となっている。また、ボルト孔３０ｂからの水浸入を防止するために、ナットＣと頂部３１ａとの間に防水パッキン（図示省略）を取り付けることが望ましい。
【００３２】
一方、屋根上取付具Ａは、金属板または硬質樹脂板よりなり、折板屋根３０の頂部３１ａより上方に突出した重合部連結用の上記ボルト体Ｂに挟着して、取付、固定する構造となっている。
【００３３】
この屋根上取付具Ａは、一対の挟持部材１０を開閉自在に支点連結して挟持具１を構成し、挟持具１の作用点とされる相対向する一対の鍔片１３を相互近接させ固定して、鍔片１３を折板屋根３０の頂部３１ａより突出したボルト体Ｂに、ボルト体Ｂに螺着されたナットＣの上方で挟着させる構造とした取付具であって、挟持部材１０の下端部つまり脚片１２の下端部１２ａには、屋根上取付具Ａを折板屋根３０に取り付けたときに、折板屋根３０の頂部３１ａの上面に当接する突片１５が形成されている。
【００３４】
まず、挟持具１全体の構造について説明する。
【００３５】
挟持具１を構成する一対の挟持部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる鍔片１３とより構成されている。
【００３６】
挟持具１は、上記２つの挟持部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟持具締付ボルト２１を通し、締付ナット２２を螺合することで鍔片１３の先端同士を近接させる構造となっている。
【００３７】
ここで、挟持具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００３８】
以上の構造を要約すれば、挟持具１を構成する２つの挟持部材１０は上板１１に形成された切り溝１１ｄで交差状に連結され、挟持具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両鍔片１３を相互近接させるような変形鋏構造となっている。
【００３９】
また、上板１１は、さらに具体的には図３に示すように、平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは段差部１１ｃに沿って形成されている。なお上板１１は、全体として緩い前方傾斜状となっていることが望ましい。
【００４０】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟持部材１０の上板１１の先端部１１ｂとの間の隙間がより小さくなって、ぐらつくおそれのない、より安定した形状とすることができる。
【００４１】
このような屋根上取付具Ａでは、挟持具１が２つの挟持部材１０で構成され、それらが開閉自在に支点連結されているので、挟持具締付ボルト２１と締付ナット２２とが緩んだ状態にあるときは、２つの挟持部材１０も緩んだ状態にある。そのため、鍔片１３を閉状態に固定するためには、締付ナット２２を締め付けて上板１１同士を固定するだけでよく、施工性が非常によい。
【００４２】
ついで、本発明の特徴である、屋根上取付具Ａの脚片１２の下端部１２ａに形成された突片１５、および、その突片１５から内側に延びた鍔片１３の構造について説明する。
【００４３】
本実施形態では、脚片１２の下端部１２ａに、脚片１２と鍔片１３との間の折曲部１４を下方に突出させてなる突片１５が形成されており、屋根上取付具Ａを折板屋根３０に取り付けたときに、この突片１５が波形屋根３０の頂部３１ａの上面に当接する構造となっている。
【００４４】
すなわち、本実施形態では、図１等に示すように、鍔片１３の折曲基部１３ａと、脚片１２の下端部１２ａとが重なり合って突片１５を形成している。また、鍔片１３は、全体として湾曲あるいは折曲形状となっており、折曲部１４から途中まで傾斜起立している折曲基部１３ａと、その途中から先端の辺縁まで、上板１１に略平行に形成されている先端部１３ｂとより構成されている。もちろん、鍔片１３の形状は本図例のものに限られず、すくなくともボルト体Ｂに挟着できるものであれば、どのような形状であってもよい。
【００４５】
また、図２（ｂ）の拡大平面図に示すように、鍔片１３の先端部１３ｂの辺縁の略中央には、折板屋根３０の頂部３１ａより突出したボルト体Ｂの外周面に嵌合可能な凹所１３ｃが形成されており、さらに凹所１３ｃの中央には上方に傾斜起立された切り起こし片１３ｄが形成されている。なお、この切り起こし片１３ｄはボルト体Ｂの軸部Ｂ１に対して鋭角的に嵌合させるものであるが、挟着したときに鍔片１３自体がある程度傾斜するものであれば、その傾斜の程度によっては、切り起こし片１３ｄを形成しないものであってもよい。さらに、鍔片１３には、鍔片１３の強度を上げるためのリブ１３ｅが形成されている。
【００４６】
このように、本実施形態に示した屋根上取付具Ａによれば、挟持部材１０の下端部１２ａに形成された突片１５が折板屋根３０の頂部３１ａの上面に当接する構造であるため、折板屋根３０に対して、ボルト体Ｂへの挟着のみによらず固定され得、屋根上取付具Ａのぐらつきを確実に防止できる。
【００４７】
また、屋根上取付具Ａが２つの挟持部材１０よりなる挟持具１で構成されているため、両鍔片１３を相互に近接させると、上板１１のボルト貫通孔１１ｅに形成された遊び等により両鍔片１３の先端が相互に水平方向にずれるおそれがあるが、突片１５により屋根上取付具Ａが折板屋根３０の頂部３１ａの上面にしっかりと載置されるため、そのようなずれは発生しにくい。かりに、そのようなずれが発生したとしても、屋根上取付具Ａは折板屋根３０の上で安定しているので、ぐらつくおそれはない。
【００４８】
特に、本実施形態では、鍔片１３の先端部１３ｂの辺縁の略中央に、折板屋根３０の頂部３１ａより突出したボルト体Ｂの外周面に嵌合可能な凹所１３ｃが形成されているため、突片１５による安定感ともあいまって、上記ずれが発生するおそれはほとんどない。
【００４９】
以上のように構成した屋根上取付具Ａは、以下の要領で折板屋根３０に取り付けて使用する。
【００５０】
まず、屋根上取付具Ａを挟持具１の両鍔片１３が十分に開いた状態、つまり挟持具締付ボルト２１、締付ナット２２の螺合を緩めて、２つの挟持部材１０を開閉自在に支点連結しておき、折板屋根３０に立設されたボルト体Ｂの上方から、両鍔片１３間の間隙を通じてボルト体Ｂを嵌挿するようにして、屋根上取付具Ａを折板屋根３０の頂部３１ａの上面に載置する（図４（ａ）、（ｂ）を参照）。
【００５１】
次に、仮止め状態にしていた挟持具締付ボルト２１および締付ナット２２を締め付けていくと、揺動自在の緩んだ状態で交差状に重合していた両上板１１が平板状に近づき、それと同時に両脚片１２の下端より延びた両鍔片１３も互いに近接し、この鍔片１３に設けた凹所１３ｃにボルト体Ｂが嵌合して、両鍔片１３がボルト体Ｂを挟持し、両上板１１の揺動が不能となるように固定されて一対の挟持部材１０は固定した状態となる（図１参照）。
【００５２】
特に本実施形態では、ボルト体Ｂのネジ溝が形成された軸部Ｂ１に食い込んで係止可能な切り起こし片１３ｄが形成されているため、切り起こし片１３ｄがボルト体Ｂの軸部Ｂ１に各々食い込んでボルト体Ｂを挟持できる。そのため、鍔片１３にてボルト体Ｂを強固に挟持して、挟持具１をボルト体Ｂに確実に取り付けることができる。
【００５３】
こうして折板屋根３０に取り付けた屋根上取付具Ａの上板１１の上には、上板１１に立設された挟持具締付ボルト２１等によって各種機器・部材類（不図示）を取り付けることができる（図１参照）。
【００５４】
このように、挟持具締付ボルト２１および締付ナット２２で挟持具１を締め付けると、図１に示すように、両脚片１２の折曲部１４が相互に近づいて両脚片１２が傾斜状態から略垂直状態に変化するとともに、両鍔片１３の先端部１３ｂはボルト体Ｂに対して、やや起立傾斜した状態となる。
【００５５】
この状態では、両脚片１２が折板屋根３０の頂部３１ａに対して略垂直状態にあるため、突片１５も同様に略垂直となって、安定した状態となって、突片１５の下端である折曲部１４が折板屋根３０の頂部３１ａをやや押圧するように、頂部３１ａの上面に当接する。
【００５６】
このように、屋根上取付具Ａは、突片１５が折板屋根３０の頂部３１ａの上面に当接しているため、折板屋根３０に対して、ボルト体Ｂへの挟着のみによらず、しっかりと固定され得、屋根上取付具Ａのぐらつきを確実に防止できる。また、脚片１２の下端部１２ａにある折曲部１４が折板屋根３０の頂部３１ａに当たっているので、屋根上取付具Ａの水平方向の回転も発生しにくい。また、突片１５を脚片１２や鍔片１３の一部で構成しているので、他の部材を付加する必要がなく、折板屋根３０への取り付けをスムーズに行える。
【００５７】
また、本実施形態では脚片１２と鍔片１３との間の折曲部１４を下方に突出させて突片１５が形成されたものであるため、構造を簡易にでき、屋根上取付具Ａの製造を容易に行える。さらに、本図例のように、突片１５を脚片１２と鍔片１３との重ね合わせで構成すれば、屋根上取付具Ａの構造を頑丈にできる。
【００５８】
また、本実施形態では、屋根上取付具Ａを折板屋根３０に取り付けるためのボルト体Ｂは、屋根材連結用のものが兼用されているため、取付のための部品点数を少なくすることができる。
【００５９】
図５〜図７は、本発明に係る屋根上取付具の第２の実施形態を示す説明図である。図５（ａ）は屋根上取付具の折板屋根への取付状態を示した正面図、図５（ｂ）は同側面図である。また、図６は、図５に示した屋根上取付具を折板屋根へ取り付ける前の状態を示した分解斜視図であり、図７は同屋根上取付具の分解斜視図である。なお、本実施形態では、屋根上取付具の施工状態図を省略する。
【００６０】
本実施形態に使用される折板屋根３０は、第１の実施形態と同様に、屋根材の重合部３０ａをボルト体ＢとナットＣの螺着によって連結した重ね式接合構造となっているが、ナットＣと折板屋根３０の頂部３１ａとの間には、ボルト孔３０ｂからの水浸入の防止のために、防水パッキンが内装された略円錐形の座金Ｄが取り付けられている。なお、ナットＣと座金Ｄとが一体となったものを使用してもよい。
【００６１】
一方、屋根上取付具Ａは、挟持具１を構成する各挟持部材１０の鍔片１３と突片１５とが、脚片１２を形成するための板体を切込み、切断加工して形成されている。この屋根上取付具Ａの例では、板体の下端から上方に向けて脚片１２の側辺に平行な２本の切込みを入れ、その切込みによってできた中央片を内側に切り起こして鍔片１３を形成し、一方、脚片１２の下端部１２ａには、切込みによってできた２側片よりなる突片１５が形成されている。また、突片１５に、下端が外側に折り曲げられて頂部３１ａの上面に対して面接触する足部１５ａが形成されている。この足部１５ａは脚片１２の残余で形成したものであるため、鍔片１３の寸法との関係によっては形成されなくてもよい。
【００６２】
また、鍔片１３の先端部１３ｂの辺縁には、凹所１３ｃおよび切り起こし片１３ｄが形成されている。なお、本実施形態において、第１の実施形態と同様の構造については、同一の符号を付して説明を省略する（後述する図８においても同様）。また、図５〜図７中の符号１４は、脚片１２と鍔片１３との間の折曲部である。
【００６３】
このように、本実施形態では、脚片１２を形成するための板体を切込み、切断加工して鍔片１３および突片１５を形成しているので、折板屋根３０に対して安定した屋根上取付具Ａを簡易に製造できる。また、切込み、切断寸法を調節することで、鍔片１３および突片１５を、取付対象である折板屋根３０の形状等に合った種々の形状、寸法に形成できる。特に、切込み寸法を調節することで鍔片１３の高さ位置を高くできるので、本実施形態の折板屋根３０のように、座金ＤとナットＣによって、ボルト体Ｂへの挟着位置が高くなる場合に、有効な屋根上取付具として利用できる。また、突片１５の先端に足部１５ａを形成することで、屋根上取付具Ａを折板屋根３０の頂部３１ａに対して、さらに安定的に取り付けることができる。
【００６４】
図８は、第２の実施形態の屋根上取付具の他２例を示す説明図で、図８（ａ）は第１例の屋根上取付具の取付前の状態を示した斜視図であり、図８（ｂ）は第２例の屋根上取付具の取付状態を示した側面図である。なお、いずれの屋根上取付具Ａも、上記の実施形態のものと同様、２つの挟持部材１０よりなる挟持具１で構成されており、その挟持構造については図１と同様であるため、同一の符号を付して、その説明は省略する。
【００６５】
図８（ａ）に示した第１例の屋根上取付具Ａを構成する２つの挟持部材１０は、図５のものと同様に、鍔片１３と突片１５とが、脚片１２を形成するための板体を切込み、切断加工することで形成されており、脚片１２の下端部１２ａに突片１５が形成されている。なお、図５と同様の構成については、同一の符号を付して、その説明は割愛する。また、鍔片１３にはリブ１３ｅが形成されている。
【００６６】
この第１例のものも、鍔片１３と突片１５を切込み、切断で形成できるので、図５のものと同様の効果が得られる。
【００６７】
また、図８（ｂ）に示した第２例の屋根上取付具Ａを構成する２つの挟持部材１０は、図５に示した屋根上取付具の変形例を示したものである。この屋根上取付具Ａは、脚片１２を形成するための板体を切込み、切断加工によって鍔片１３と突片１５とを形成したもので、突片１５は脚片１２の下端部１２ａに形成されている。また、突片１５の下方には、頂部３１ａを挟み込む一対の取付具回り止め片１６が形成されている。この取付具回り止め片１６は、突片１５の下端を切り欠いて形成できるもので、これによって屋根上取付具Ａの水平方向の回転が規制される。
【００６８】
以上の第１、第２の実施形態で示した２種の屋根上取付具Ａでは、第１の実施形態のものは座金Ｄを設けない形態とした折板屋根３０に対して取り付けられ、第２の実施形態のものは座金Ｄを設けた形態の折板屋根３０に対して取り付けられているが、いずれの屋根上取付具Ａも、取付対象である折板屋根がいずれの形態であってもよい。
【００６９】
また、いずれの実施形態も、突片１５を脚片１２および鍔片１３と一体的に形成しているが、別体の突片を脚片１２の下端部１２ａに付加する構成であってもよい。
【００７０】
また、以上の第１、第２の実施形態では、屋根上取付具Ａを隣接する両屋根材の重合部３０ａに配した例を示したが、重合部が形成されていない山部３１の頂部３１ａに屋根上取付具Ａを取り付けてもよい。
【００７１】
さらに、以上の第１、第２の実施形態では、山部３１、谷部３２の方向に沿って両脚片１２が配列されるように屋根上取付具Ａを配した例を示したが、波の方向に沿って両脚片１２が配列されるように屋根上取付具Ａを配してもよい。その場合、特に丸波形屋根で、波の頂部間の長さが短く、かつ谷部３２の底部面から山部３１の頂部までの高さが低いような場合には、鍔片１３の折曲基部１３ａが谷部３２の底部面に当接する構成であってもよい。つまり、屋根上取付具Ａの取付構造は、鍔片１３の折曲基部１３ａが波形屋根の上面のいずれかの部位を押圧するような構造であればよい。
【００７２】
なお、屋根上取付具Ａは上記２種の方向に配することが望ましいが、それら以外のどのような方向に配してもよい。
【００７３】
また、上記屋根上取付具Ａは、平板形（波形に形成していない）屋根に取り付けることも可能である。
【００７４】
ついで、図９を参照しながら、本発明に係る屋根上取付具のさらに他の実施形態について説明する。図９（ａ）、（ｂ）は、屋根上取付具の施工状態を示す概略正面図である。
【００７５】
この屋根上取付具Ａは、一対の挟持部材１０を開閉自在に支点連結して挟持具１を形成し、挟持具１の作用点とされる一対の鍔片１３を相互近接させ固定して、折板屋根３０の頂部３１ａより突出したボルト体Ｂに挟着させる構造としたものであって、脚片１２の下端部１２ａに、折板屋根３０の頂部３１ａの上面に当接する突片１５が形成されたものである。
【００７６】
具体的には、この屋根上取付具Ａは、上記した第１、第２の実施形態のものとちがって、力点である操作片１７が支点の上方にあり、上記した実施形態と同様に、交差状に連結された支点の下方に脚片１２と鍔片１３とが延びている。そして、操作片１７を緊締ボルト２５、ナット２６等で締め付けることで、鍔片１３をボルト体Ｂに挟着させることができる。こうして取り付けた屋根上取付具Ａの操作片１７に、各種機器や部材類（不図示）を載置することができる。
【００７７】
なお、本発明の特徴部分である、脚片１２の下端部１２ａに形成された突片１５、および、折曲部１４より中央に向かって延びた鍔片１３については、上記した第１の実施形態と同一の構造であるため、図１と同一の符号を付して、その詳細構造および効果についての説明は省略する。
【符号の説明】
【００７８】
Ａ      屋根上取付具
１      挟持具
１０      挟持部材
１１      上板
１１ａ      基端部（基端）
１１ｂ      先端部（先端）
１１ｃ      段差部
１１ｄ      切り溝
１１ｅ      ボルト貫通孔
１１ｆ      押さえ爪
１２      脚片
１２ａ      下端部（挟持部材の下端部）
１３      鍔片
１３ａ      折曲基部
１３ｂ      先端部
１３ｃ      凹所
１３ｄ      切り起こし片
１３ｅ      リブ
１４      折曲部
１５      突片
１５ａ      足部
１６      取付具回り止め片
２１      挟持具締付ボルト
２２      締付ナット
２３      ボルト止め
３０      折板屋根（波形屋根）
３０ａ      重合部
３０ｂ      ボルト孔
３１      山部
３１ａ      頂部
３２      谷部
Ｂ      ボルト体
Ｂ１      軸部
Ｃ      ナット
Ｄ      座金
【図１】
0005520545.tif 000002
【図２】
0005520545.tif 000003
【図３】
0005520545.tif 000004
【図４】
0005520545.tif 000005
【図５】
0005520545.tif 000006
【図６】
0005520545.tif 000007
【図７】
0005520545.tif 000008
【図８】
0005520545.tif 000009
【図９】
0005520545.tif 000010